(57)【要約】【課題】送信後、又は受信後の経過時間等に応じて、間欠受信動作の消費電力を低減することができる無線機を提供する。【解決手段】前記課題を解決するため、本発明の無線機では、送信後、又は受信後において、他の無線機から受信を間欠的に行う際に、間欠受信の間隔を一定にするのではなく、送信直後、又は受信直後は間欠受信の間隔を短くし、その後、所定の時間が経つと、間欠受信の間隔を、送信直後、又は受信直後よりも長くする。さらに、間欠受信の間隔が、所定の間隔になると、それ以降、間欠受信間隔を前記所定の間隔に保ち一定にする。  これにより、受信終了後又は送信終了後の状態に応じて、受信タイミング間隔を設定することができ、受信への支障を抑制しつつ、無線機の消費電力を低減することができる。【選択図】図１
2011055325.tif 000002
【特許請求の範囲】
【請求項１】
外部から送信された音声信号又はデータ信号を受信する受信部と、
外部へ音声信号又はデータ信号を送信する送信部と、
受信可能な受信タイミングを間欠的に生成する間欠受信タイミング生成部と、
受信部からのベースバンド信号、又は送信部へのベースバンド信号の処理を行う制御部とを備えた無線機において、
前記間欠受信タイミング生成部は、
受信可能な受信タイミングの間隔を変更する受信間隔変更部と、
前記受信間隔変更部で変更された間隔に基づいて受信タイミングを生成する受信タイミング生成部と、
受信終了後、又は送信終了後の経過時間を計測するタイマー部とを備え、
前記受信間隔変更部は、タイマー部で計測する前記経過時間が第１の時間以内の状態において、受信タイミングが来る度に受信タイミング間隔を第２の時間分長くし、前記経過時間が第１の時間より大きい状態において、受信タイミングが来る度に受信タイミング間隔を第３の時間分長くすることを特徴とする無線機。
【請求項２】
前記受信間隔変更部は、受信タイミング間隔が第４の時間に達すると、受信タイミング間隔を該第４の時間に維持することを特徴とする請求項１に記載の無線機。
【請求項３】
外部から送信された音声信号を受信する受信部と、
外部へ音声信号を送信する送信部と、
受信可能な受信タイミングを間欠的に生成する間欠受信タイミング生成部と、
受信部からのベースバンド信号、又は送信部へのベースバンド信号の処理を行う制御部とを備えた音声通信可能な無線機において、
前記間欠受信タイミング生成部は、
受信可能な受信タイミングの間隔を変更する受信間隔変更部と、
前記受信間隔変更部で変更された間隔に基づいて受信タイミングを生成する受信タイミング生成部と、
音声送信終了後の経過時間を計測するタイマー部とを備え、
前記受信間隔変更部は、タイマー部で計測する前記経過時間が第１の時間以内の状態において、受信タイミング間隔を第５の時間とし、前記経過時間が第１の時間より大きい状態において、受信タイミング間隔を第５の時間より長くすることを特徴とする無線機。
【発明の詳細な説明】
【技術分野】
【０００１】
本発明は、電池により電力を供給される無線機など、消費電力を低減することが求められる無線機に関するものであり、特に、待ち受け状態における間欠受信動作の消費電力を低減する無線機に関するものである
【背景技術】
【０００２】
従来より、移動無線通信方式の無線機等において、連続通話時間及び待ち受け時間の延長のための送受信部の低消費電力化が求められている。このため、待ち受け状態において、基地局等からの受信を間欠的に行う間欠受信方式が採用されている。間欠受信方式を用いた無線機は、受信タイミング以外の期間において、送受信部を停止することにより、消費電力を低減することができる。下記の特許文献１（特開２００２-３６８６７３公報）には、ディジタル移動無線通信方式の携帯端末において、受信信号をアナログからディジタルへ変換するＡＤコンバータとして、高分解能ＡＤコンバータと低分解能ＡＤコンバータを用意し、現在の受信レベルと、該現在の受信レベル及び過去の受信レベルの比較により算出された受信レベル変動量とに基づいて、高分解能ＡＤコンバータ及び低分解能ＡＤコンバータを切り替えて使用することにより、消費電力を低減することが開示されている。
また、下記の特許文献２（特開平１１-３１７６７８公報）には、無線受信機の電波状態を判別し、強電界では連続受信状態とし、弱電界では休止時間及び周期が短い間欠受信とし、無電界では休止時間及び周期が長い間欠受信として、頭切れなく受信し、パワーセービング効果を得ることが開示されている。
【先行技術文献】
【特許文献】
【０００３】
【特許文献１】特開２００２-３６８６７３公報
【特許文献２】特開平１１-３１７６７８公報
【発明の概要】
【発明が解決しようとする課題】
【０００４】
例えば、他の無線機との間で通話を行う場合、特に、対向で通話を行う場合、送信した直後に相手からの受信をする可能性が高く、送信後の時間が経つにつれて、相手からの受信をする可能性が低くなっていくことが多い。これは、送信情報に対して、相手から応答情報が返信されることが多いためである。また、他の無線機から受信した直後に、当該他の無線機、あるいは別の無線機からの受信をする可能性が高く、受信後の時間が経つにつれて、他の無線機からの受信をする可能性が低くなっていくことが多い。これは、他の無線機からの送信情報に対して、当該他の無線機から追加の送信が行われたり、あるいは、別の無線機から応答情報が返信されることが多いためである。従来は、送信終了後、又は受信終了後の経過時間に応じて間欠受信の間隔を変更することは行われておらず、送信終了後、又は受信終了後の経過時間が相当に大きくなっても、間欠受信の間隔が小さいため、電力消費において効率性が不足していた。
【０００５】
前記特許文献１（特開２００２-３６８６７３公報）では、無線受信機の間欠受信について開示がない。また、特許文献２（特開平１１-３１７６７８公報）では、電波状態に応じた無線受信機の間欠受信について開示はあるが、無線機の送信後、又は受信後の経過時間等に応じて間欠受信を行うことについては開示がない。
本発明の目的は、送信後、又は受信後の経過時間等に応じて、間欠受信動作の消費電力を低減することができる無線機を提供することにある。
【課題を解決するための手段】
【０００６】
前記課題を解決するため、本発明では、送信後、又は受信後において、他の無線機から受信を間欠的に行う際に、間欠受信の間隔を常に一定にするのではなく、送信直後、又は受信直後は間欠受信の間隔を短くし、その後、時間が経つと、間欠受信の間隔を、送信直後、又は受信直後よりも長くする。さらに、間欠受信の間隔が、所定の間隔になると、それ以降、間欠受信間隔を一定にすることも可能とするものである。
本発明の代表的な構成は、次のとおりである。
外部から送信された音声信号又はデータ信号を受信する受信部と、外部へ音声信号又はデータ信号を送信する送信部と、受信可能な受信タイミングを間欠的に生成する間欠受信タイミング生成部と、受信部からのベースバンド信号、又は送信部へのベースバンド信号の処理を行う制御部とを備えた無線機において、
前記間欠受信タイミング生成部は、受信可能な受信タイミングの間隔を変更する受信間隔変更部と、前記受信間隔変更部で変更された間隔に基づいて受信タイミングを生成する受信タイミング生成部と、受信終了後、又は送信終了後の経過時間を計測するタイマー部とを備え、
前記受信間隔変更部は、タイマー部で計測する前記経過時間が第１の時間以内の状態において、受信タイミングが来る度に受信タイミング間隔を第２の時間分長くし、前記経過時間が第１の時間より大きい状態において、受信タイミングが来る度に受信タイミング間隔を第３の時間分長くすることを特徴とする無線機。
なお、上記構成において、前記送信部の機能を削除した無線受信機の構成とすることも可能である。
【発明の効果】
【０００７】
本発明によれば、受信終了後、又は送信終了後の状態に応じて受信タイミング間隔を設定することができ、受信への支障を抑制しつつ、無線機の消費電力を低減することができる。
【図面の簡単な説明】
【０００８】
【図１】本発明の無線機の構成例を示す図である。
【図２】本発明の間欠受信タイミング生成部１１の構成ブロック例を示す図である。
【図３】本発明の間欠受信タイミングの生成例を示すフローチャートである。
【図４】本発明の間欠受信タイミング生成部１１の詳細構成例を示す図である。
【図５】図４の詳細構成例における間欠受信タイミングの生成を示すフローチャートである。
【図６】図４の詳細構成例におけるタイミングチャートを示す。
【図７】図４の詳細構成例におけるタイミングチャートを示す。
【図８】本発明の構成例における時間対間欠間隔のグラフを示す。
【図９】図４の詳細構成例におけるタイミングチャートを示す。
【発明を実施するための形態】
【０００９】
本実施例における無線機１は、受信終了後、又は送信終了後において、より短い間隔の受信タイミングから次第により長い間隔の受信タイミングとし、受信終了後、又は送信終了後、所定の時間が経過すると、受信タイミング間隔を長くする度合いを増加し、受信タイミング間隔が所定の間隔に達すると、その受信タイミング間隔を保つように動作するものである。
【００１０】
以下、本発明の実施例について、図を参照して説明する。
（無線送受信機１の構成例）
図１は、本発明に係る無線送受信機１の構成例を示す図である。図１において、２は、他の無線送受信機との間で無線信号を送受信するための空中線（アンテナ）である。３は、送信時と受信時で空中線を切換え接続する空中線スイッチ、又は共用器である。１０は、音声が入力されるマイクや、音声信号を音声として出力するスピーカを含む音声入出力部である。８は、マイクから入力された音声の音声増幅処理や、復調信号の音声信号への変換、音声増幅等の処理を行う制御部である。１５は、送信信号を変調処理する変調部である。５は、変調信号を高周波信号に高周波変換する送信周波数変換部である。４は、高周波信号を電力増幅する電力増幅部である。変調部１５、送信周波数変換部５、電力増幅部４等から送信部が構成される。
【００１１】
６は、受信した高周波信号を増幅する高周波増幅部である。７は、高周波信号を中間周波信号（ＩＦ）に周波数変換する受信周波数変換部である。１４は、中間周波信号を復調する復調部である。９は、ユーザインターフェイスの制御に従って、文字データ等の表示を行い、また、操作者からの入力を受け付ける表示操作部でであり、表示部と操作部を備える。高周波増幅部６、受信周波数変換部７、復調部１４等から受信部が構成される。
１１は、間欠受信タイミング信号を発生する間欠受信タイミング生成部である。本実施例では、間欠受信タイミング生成部１１は、受信タイミングを短い間隔のタイミングから次第に長い間隔のタイミングとし、所定の間隔になると、その所定の間隔を保つ。１３は、キャリア検出や受信レベル検出など、受信信号が入力されているか否かを検出する受信信号検出部である。
【００１２】
（無線送受信機１の動作概要）
無線送受信機１の受信、送信動作について、図１を用いて説明する。
送信する場合は、音声入出力部１０（マイク等）から入力された音声が、制御部８にて音声増幅処理等され、変調部１５で変調された後、送信周波数変換部５で高周波信号に周波数変換され、電力増幅部４で電力増幅されたあと、空中線スイッチ（又は共用器）３を介して、空中線２から他の無線送受信機１等に対し送信される。
受信する場合は、他の無線送受信機１等からの無線信号が空中線２で受信され、空中線スイッチ３を介して受信部の高周波増幅部６で高周波増幅され、受信周波数変換部７で中間周波信号に周波数変換される。周波数変換された信号２４は、復調部１４に送られデータが復調される。復調部１４からの復調信号２５は、制御部８で音声信号等に信号処理され、あるいは音声増幅処理され、音声入出力部１０（スピーカ等）に出力される。
【００１３】
（間欠受信タイミング生成部１１の構成）
本実施例の間欠受信タイミング生成部１１の構成について、図２を用いて説明する。図２は、本発明の間欠受信タイミング生成部１１の構成ブロック例を示す図である。１２１は、後述する受信間隔変更部１２２からの間欠タイミング信号２１に基づいて、受信タイミング信号２２を生成する受信タイミング生成部である。１２２は、受信可能な受信タイミングの間隔を設定、変更する受信間隔変更部であり、本実施例では、前記間欠タイミング信号２１の間隔を、受信タイミング毎に、間欠タイミング信号２１の出力回数に応じて変更し、更に、前記間欠タイミング信号２１の間隔が、予め定めた値に達すると、以降、その値を前記間欠タイミング信号２１の間隔として維持する受信間隔変更部である。１２３は、受信終了後、又は送信終了後の経過時間を計測するタイマー部（時間計測部）である。１２４は、制御部８からの信号８１に基づき、受信タイミング生成部１２１、受信間隔変更部１２２、タイマー部１２３を初期状態にする等の処理を行うリセット部である。制御部８からの信号８１には、後述する基準タイミング信号３２、リセット信号３１、送信タイミング信号２６が含まれる。
【００１４】
（間欠受信タイミング生成部１１の動作概要）
本実施例の間欠受信タイミング生成部１１の動作概要について、図３を用いて説明する。図３は、本発明の間欠受信タイミング生成部１１の動作概要を示すフローチャートである。
まず、ステップＳ３１において、無線機１の電源起動時等に、初期設定が自動的に行われる。初期設定では、受信間隔が初期値ｄに設定され、受信間隔の最大値ｅが設定される。また、タイマー部１２３のタイマー時間が設定される。次に、ステップＳ３２において、無線機１が受信中、又は送信中であるか否かが判断される。無線機１が受信中、又は送信中である場合は（ステップＳ３２でＹｅｓ）、ステップＳ３９において受信間隔とタイマーが初期値に設定された後、ステップＳ４０において、無線機１が待受け中であるか否かが判断される。待受け中とは、受信中でも送信中でもない状態である。無線機１が待受け中でない場合は（ステップＳ４０でＮｏ）、待受け中になるまで待つ。無線機１が待受け中になると（ステップＳ４０でＹｅｓ）、ステップＳ３２に戻り、無線機１が受信中、又は送信中であるか否かが判断される。
【００１５】
ステップＳ３２において、無線機１が受信中、又は送信中でない場合は（ステップＳ３２でＮｏ）、ステップＳ３３において、受信可能な受信タイミングであるか否かが判断される。受信タイミングでない場合は（ステップＳ３３でＮｏ）、ステップＳ３２に戻る。受信タイミングである場合は（ステップＳ３３でＹｅｓ）、ステップＳ３４において、現在の受信間隔が最大値ｅより小さいか否かが判断される。この最大値ｅは、ステップＳ３１で初期設定されたものである。現在の受信間隔が最大値ｅより小さくない場合は（ステップＳ３４でＮｏ）、つまり、現在の受信間隔が最大値ｅである場合は、ステップＳ３８において、次の受信間隔も現在の受信間隔と同じ値に維持し、その後、ステップＳ３２に戻る。
【００１６】
ステップＳ３４において、現在の受信間隔が最大値ｅよりも小さい場合は（ステップＳ３４でＹｅｓ）、ステップＳ３５において、受信終了後、又は送信終了後の経過時間が、所定の時間内であるか否かが判断される。受信終了後、又は送信終了後の経過時間が、所定の時間内である場合は（ステップＳ３５でＹｅｓ）、ステップＳ３６において、第１の受信間隔変更処理が行われる。この第１の受信間隔変更処理においては、当該受信タイミングの直前の受信間隔に、所定の第１の時間ｂを加算した時間を次の受信間隔とする。ステップＳ３６の後、ステップＳ３２に戻る。
ステップＳ３５において、受信終了後、又は送信終了後の経過時間が、所定の時間内でない場合は（ステップＳ３５でＮｏ）、ステップＳ３７において、第２の受信間隔変更処理が行われる。この第２の受信間隔変更処理においては、当該受信タイミングの直前の受信間隔に、所定の第２の時間ｃを加算した時間を次の受信間隔とする。ステップＳ３７の後、ステップＳ３２に戻る。
本実施例では、ｂ＜ｃとしているので、送信直後の待ち受け状態の場合、つまり、相手の無線機から応答が返信される可能性が高い場合は、間欠受信間隔が短くなり、相手からの応答がないまま、ある一定時間が経ち、相手からの応答が来る可能性が低くなると、間欠受信間隔が長くなる。
【００１７】
（間欠受信タイミング生成部１１の詳細構成）
間欠受信タイミング生成部１１の詳細構成について、図４を用いて説明する。図４は、本発明の間欠受信タイミング生成部１１の詳細構成例を示す図である。図４では、間欠受信タイミング生成部１１をハードウエア回路により実現している。
間欠受信タイミング生成部１１は、ＯＲ回路１１１と、タイマー１１２と、ＯＲ回路１１３と、カウンタ１１４と、切換え器１１５と、加算器１１６と、比較器１１７と、受信タイミング生成部１２０と、制御情報入力部２０とを備えている。
ＯＲ回路１１１は、後述する制御部８からのリセット信号３１と、受信信号検出部１３からの受信信号検出信号２３と、制御部８からの送信タイミング信号２６のうち、何れかの信号が入力された場合にクリア信号３４を出力する。タイマー１１２は、クリア信号３４によりタイマー値ａが設定され、一定間隔毎に発生する基準タイミング信号３２によりカウントダウンし、タイマー値が０になったら切換え信号３３を出力する。ＯＲ回路１１３は、間欠タイミング信号２１とクリア信号３４のうち、何れかの信号が入力された場合にカウンタ１１４にイネイブル信号３８を出力する。カウンタ１１４は、ＯＲ回路１１３から出力されたイネイブル信号３８によりカウンタ値をクリアし、一定間隔に発生する基準タイミング信号３２によりカウントアップし、その値を出力信号３５として出力する。切換え器１１５は、タイマー１１２からの切換え信号３３が入力されてないときに加算値ｂを出力し、切換え信号３３が入力されているときに加算値ｃを出力する。加算器１１６は、クリア信号３４により加算値出力３６を初期値ｄとし、間欠タイミング信号２１のタイミングで入力Ａと入力Ｂに入力された値を加算し、その加算値出力信号３６を出力する。また、加算値出力３６を入力Ｂに接続している。比較器１１７は、入力Ａと入力Ｂに入力された値を比較し、入力Ａ＞入力Ｂのときに間欠タイミング信号２１を出力する。カウンタ１１４、切換え器１１５、加算器１１６、比較器１１７等により、前記受信間隔変更部１２２が構成される。
制御情報入力部２０は、間欠受信方式の時間的なパラメータを、無線送受信機１の内外部から収集し、受信信号検出部１３には、キャリア検出時間を定めるキャリア検出時間情報を、また、間欠受信タイミング生成部１１内の切換え器１１５には、間欠受信間隔を定める加算値ｂ及び加算値ｃの情報を設定値として出力する。
無線送受信機１の操作者は、表示操作部９のボタンなどの入力手段を用いて、キャリア検出時間情報や間欠受信間隔を定める加算値ｂ及び加算値ｃの情報等のパラメータを、無線送受信機１に対して入力することができる。入力される設定値は、直接的な数値であっても、間接的なコマンドのような値であってもよい。入力された設定値は、伝送路などを経由して、制御部８の記憶素子などの保持手段（メモリ）に格納される。無線送受信機１に電源が投入されている間だけ保持してもよいし、不揮発性メモリなどに格納することにより、無線送受信機１の電源が投入されていないときにも保持してもよい。間欠受信間隔等を自由に設定できる前記パラメータは、表示操作部９のボタンやボリュームつまみなどの入力手段や、ＰＣ（パソコン）経由またはネットワークを経由するなど、多様な手段で設定制御することができる。
制御情報入力部２０は、動作パラメータとして、制御部８の記憶素子などの保持手段（メモリ）から、操作者が設定した設定値を読み出し使用する。このパラメータを読み出すタイミングは、電源起動時の初期設定のときでも、パラメータが変更されたときでも、制御情報入力部２０の動作に依存したタイミングでも、間欠受信動作に支障をきたさなければいつでもよい。
【００１８】
（間欠受信タイミング生成部１１の動作）
次に、図４の間欠受信タイミング生成部１１の動作を、図５を用いて説明する。図５は、図４の間欠受信タイミング生成部１１の動作を示すフローチャートである。
まず、無線機１の電源投入後等におけるステップＳ５１において、初期設定が自動的に行われる。初期設定では、受信間隔が初期値ｄ、例えば２０ｍｓに設定され、受信間隔の最大値ｅが、例えば１．５ｓに設定され、受信間隔の第１の加算値ｂが、例えば１０ｍｓに設定され、受信間隔の第２の加算値ｃが、例えば４０ｍｓに設定される。また、タイマー１１２の設定値ａが、例えば２０ｓに設定され、カウンタ１１４が初期値０（ゼロ）に設定される。
なお、本実施例では、上記の受信間隔の初期値ｄ、最大値ｅ、受信間隔の加算値ｂやｃ、タイマー１１２の設定値ａ等は、予め、前記表示操作部９から操作者により入力され、制御情報入力部２０を経て制御部８のメモリに格納されるようになっており、該メモリに格納された設定値を用いて、ステップＳ５１において初期設定が行われる。上記の受信間隔の初期値ｄ、最大値ｅ、受信間隔の加算値ｂやｃ、タイマー１１２の設定値ａ等は、操作者により適宜変更可能である。
【００１９】
次に、ステップＳ５２において、カウンタ１１４のカウンタ値（出力信号３５）が、加算器１１６の加算値（出力３６）より大きいか否かが、比較器１１７により判断される。カウンタ１１４は、基準タイミング信号３２によりカウントアップするものである。また、加算器１１６の初期値は、受信間隔の初期値ｄであり、加算値出力信号３６は、受信間隔を表す。つまり、ステップＳ５２において、受信可能な受信タイミングに達したか否かが判断される。受信タイミングに達していない場合は（ステップＳ５２でＮｏ）、ステップＳ５８において、カウンタ１１４のカウンタ値が１カウントアップされて、ステップＳ５２に戻る。
【００２０】
ステップＳ５２において、カウンタ１１４のカウンタ値（出力信号３５）が、加算器１１６の加算値（出力３６）より大きい場合は（ステップＳ５２でＹｅｓ）、つまり、受信タイミングに達した場合は、ステップＳ５３において、無線機１の状態が、受信中又は送信中であるか否かが判断される。無線機１の状態が、受信中又は送信中である場合は（ステップＳ５３でＹｅｓ）、ステップＳ５９において、カウンタ１１４のカウンタ値と、タイマー１１２のタイマー値と、加算器１１６の加算値出力３６がクリアされる。その後、ステップＳ６０において、無線機１の状態が待受け中であるか否かが判断される。無線機１が待受け中でない場合は（ステップＳ６０でＮｏ）、待受け中になるまで待つ。無線機１が待受け中になると（ステップＳ６０でＹｅｓ）、ステップＳ５２に戻る。
【００２１】
ステップＳ５３において、無線機１の状態が、受信中又は送信中でない場合は（ステップＳ５３でＮｏ）、ステップＳ５４において、カウンタ１１４のカウンタ値がクリアされる。その後、ステップＳ５５において、現在の受信間隔である加算器１１６の加算値出力３６が、加算器１１６の最大値ｅより小さいか否かが判断される。加算器１１６の加算値出力３６が最大値ｅより小さくない場合は（ステップＳ５５でＮｏ）、つまり、加算値出力３６が最大値ｅである場合は、そのまま、ステップＳ５２に戻る。つまり、次の受信間隔も現在の受信間隔と同じ値に維持されることになる。
ステップＳ５５において、加算器１１６の加算値出力３６が、加算器１１６の最大値ｅより小さい場合は（ステップＳ５５でＹｅｓ）、ステップＳ５６において、タイマー１１２のタイマー値が０（ゼロ）であるか否か、つまり、受信終了後又は送信終了後の経過時間が、所定の時間内であるか否かが判断される。タイマー１１２のタイマー値が０（ゼロ）である場合は、タイマー１１２から切換え信号３３が出力される。切換え器１１７は、切換え信号３３がある場合は加算値ｂを出力し、切換え信号３３がない場合は加算値ｃを出力する。
【００２２】
ステップＳ５６において、タイマー１１２のタイマー値が０（ゼロ）でない場合（ステップＳ５６でＮｏ）、つまり、受信終了後又は送信終了後の経過時間が、所定の時間内である場合は、ステップＳ５７において、加算器１１６の加算値出力３６にｂが加算される。したがって、次の受信間隔は、現在の受信間隔にｂを加算したものになる。その後、ステップＳ５２に戻る。
また、ステップＳ５６において、タイマー１１２のタイマー値が０（ゼロ）である場合（ステップＳ５６でＹｅｓ）、つまり、受信終了後又は送信終了後の経過時間が、所定の時間内でない場合は、ステップＳ６１において、加算器１１６の加算値出力３６にｃが加算される。したがって、次の受信間隔は、現在の受信間隔にｃを加算したものになる。その後、ステップＳ５２に戻る。
【００２３】
（間欠受信タイミング生成部１１のタイミングチャート）
次に、図４の間欠受信タイミング生成部１１のタイミングチャートを、図４、及び図６、図７、図８、図９を用いて説明する。
まず、間欠タイミング信号２１が生成される過程を、図４、及び図６を用いて説明する。図６は、間欠タイミング信号２１の生成過程を示すタイミングチャートである。図４、及び図６に示すように、電源起動時等に制御部８において発生するリセット信号３１が、ＯＲ回路１１１に入力され、クリア信号３４として出力される。このクリア信号３４がＯＲ回路１１３を通ってカウンタ１１４に入力された状態において、一定間隔で発生する基準タイミング信号３２のタイミング（図６では、立ち上がりエッジのタイミング）で、カウンタ１１４のカウンタ値が‘０’（ゼロ）にクリアされる。このカウンタ値‘０’が、比較器１１７の入力Ａに出力される。
【００２４】
同様に、クリア信号３４により、加算器１１６の加算値出力３６として初期値‘ｄ’が設定され、加算値‘ｄ’として比較器１１７の入力Ｂに出力される。比較器１１７において、入力Ａ（カウンタ１１４からのカウンタ値３５である‘０’）と入力Ｂ（加算器１１６からの加算値３６である‘ｄ’）とを比較し、入力Ａが入力Ｂより大きい場合は間欠タイミング信号２１を出力し、入力Ａが入力Ｂ以下の場合は間欠タイミング信号２１を出力しない。この時点では、入力Ｂ（加算値‘ｄ’）が入力Ａ（カウンタ値‘０’）より大きいので、間欠タイミング信号２１を出力しない。
次にカウンタ１１４において、基準タイミング信号３２のタイミングで（図６では立ち上がりエッジのタイミング）カウンタ値３５を‘０’から‘１’へカウントアップし、比較器１１７でこのカウンタ値３５の‘１’と加算器１１６からの加算値３６の‘ｄ’を比較する。この場合も、加算値‘ｄ’が大きいので、間欠タイミング信号を出力しない。このように、カウンタ１１４において、基準タイミング信号３２のタイミングでカウンタ値３５を２、３、４・・とカウントアップして行き、カウンタ値３５が加算値３６である‘ｄ’より大きくなったときに、比較器１１７より間欠タイミング信号２１が出力される。
【００２５】
間欠タイミング信号２１が出力されると、この間欠タイミング信号２１により、カウンタ１１４では、カウンタ値３５が‘０’クリアされる。また、加算器１１６では、入力Ｂ（初期値‘ｄ’）と入力Ａ（切換え器１１５から出力される加算値‘ｂ’）を加算し、加算値‘ｄ＋ｂ’が出力される。
以上の一連の動作を繰り返すことで、間欠タイミング信号２１が発生する度に、間欠タイミング信号２１の間隔が、カウンタ１１４における加算値‘ｂ’のカウント時間分増加する。また、加算器１１６において加算値３６が最大値の‘ｅ’になり、一定値になると、間欠タイミング信号２１の間隔が一定となる。
【００２６】
また、図４の間欠受信タイミング生成部１１では、更にタイマー１１２において、タイマー値‘ａ’で設定された時間後に、切換え信号３３が出力される。この切換え信号３３が切換え器１１５に入力されると、切換え器１１５では、加算器１１６への出力３７を‘ｂ’から‘ｃ’に切換える。これにより、ｂ＜ｃの場合は、初めは間欠タイミング信号２１の間隔の増加時間（ｂ）を少なくし、しばらくしてから増加時間（ｃ）を多くすることができる。
切換え信号３３と間欠タイミング信号２１の関係について、図７を用いて説明する。図７は、間欠タイミング信号２１のタイミングチャートである。間欠タイミング信号２１の間隔時間は、基準タイミング信号３２の間隔をｔ（ｓｅｃ）とすると、ｄ×ｔから始まり、（ｄ＋ｂ）×ｔ、（ｄ＋２ｂ）×ｔ、（ｄ＋３ｂ）×ｔと間隔が広がっていく。しばらくして、タイマー１１２より切換え信号３３が出力されると、（ｄ＋ｎｂ＋ｃ）×ｔ、（ｄ＋ｎｂ＋２ｃ）×ｔ、（ｄ＋ｎｂ＋３ｃ）×ｔというふうに、間欠時間の増加分が、ｂからｃへと変わる。更に時間が経過し、ｄ＋ｎｂ＋（ｍ＋１）ｃ＞ｅになると、それ以降の間隔時間は、ｅ×ｔで固定される。
【００２７】
図８に、ｂ＜ｃの場合における間欠タイミング信号２１の間隔のグラフを示す。図８において、横軸は経過時間、縦軸は間欠タイミング信号２１の間隔である。
図８において、間欠間隔（間欠タイミング信号２１の間隔）時間の増加分がｂからｃに変わる時間は、タイマー１１２の設定値がａであるので、ａ×ｔ（ｓｅｃ）となる。図８において、８１は、間欠間隔時間の増加分がｂの場合である。８２は、間欠間隔時間の増加分がｃの場合である。８３は、間欠間隔時間が固定された場合である。具体例としては、間欠間隔時間の増加分がｂからｃに変わる時間であるａ×ｔを２０ｓ、ａ×ｔにおける間欠間隔時間を６００ｍｓ、間欠間隔時間が固定される時間（８２から８３へ移る時間）を４０ｓ程度、間欠間隔時間が固定されるときの間欠間隔時間を１４００ｍｓ程度に設定することができる。図８の例では、ｂ＜ｃとしているため、８１よりも８２の方が、間欠タイミング信号２１の間隔の増加の度合いが大きいことがわかる。
【００２８】
図８の例でｂ＜ｃとしている理由は、送信直後の待ち受け状態の場合、相手の無線機から応答が返信される可能性が高いためである。相手からの応答がないまま、ある一定時間（本例では、ａ×ｔ（ｓｅｃ））が経ち、相手からの応答が来る可能性が低くなると、省電力効果を高めるため、間欠間隔時間の増加分を大きくし、間欠受信間隔を長くするのである。その後、間欠間隔時間を一定としているのは、ある程度以上受信間隔時間を空けると、相手の無線機との通話に支障をきたすためである。
【００２９】
ここで、受信信号検出部１３および復調部１４をＤＳＰ（Digital  Signal  Processor）などのプロセッサーで構成する場合、ＤＳＰには、省電力化のための休止モード、あるいは機能制限モードが幾つか設けられることが多い。例えば第１の休止モードは、通常処理モードへの復帰は早いが、消費電力が大きく省電力効果の低いモードであり、第２の休止モードは、リブートが必要になり通常処理モードへの復帰は遅いが、消費電力が小さく省電力効果の高いモードである。このようなＤＳＰを使用する際、間欠受信間隔が短い状態において、復帰は早いが省電力効果の低いモードを使用し、ある程度間欠受信間隔が長くなった状態において、復帰は遅いが省電力効果の高いモードを使用するなど、省電力モードの使い分けが可能になる。このモードの切換えを行うタイミングとしてタイマー１１２から出力される切換え信号３３を使用することができる。
上記の第１の休止モード、第２の休止モードを有するように無線機を構成すると、送信直後の待ち受け状態などにおいて、すなわち、相手からの応答が来る可能性が高い状態において、通常処理モードへの復帰が早い第１の休止モードとし、所定の時間が経過した状態において、通常処理モードへの復帰が遅い第２の休止モードとすることができるので、待ち受け状態において効果的に応答することができる。
【００３０】
また、第１の休止モードを、通常処理モードの機能を制限するモードとし、第２の休止モードを、第１の休止モードの機能を制限し、第１の休止モードより消費電力の小さいモードとして、送信直後の待ち受け状態などにおいて、すなわち、相手からの応答が来る可能性が高い状態において、第１の休止モードとし、所定の時間が経過した状態において、第２の休止モードとすることもできる。
このようにすると、送信直後の待ち受け状態などにおいて、すなわち、相手からの応答が来る可能性が高い状態において、通常処理モードの機能を制限する第１の休止モードとし、所定の時間（前記第１の時間）が経過した状態において、第１の休止モードの機能を制限し、第１の休止モードより消費電力の小さい第２の休止モードとして、無線機の消費電力を低減することができる。
【００３１】
次に、無線機１の送信状態、待ち受け状態、受信状態における受信タイミング信号２２の状態を、図９を用いて説明する。図９は、図４の詳細構成例における、無線機１の送信状態、待ち受け状態、受信状態に応じたタイミングチャートである。図９において、無線機１は、送信状態９１の後、待ち受け状態９２になると、受信タイミング信号２２の間隔が徐々に広がっていき、その後間隔は一定となる。次に、送信状態９３になると、制御部８から、例えば、プレストーク通信における送信プレス信号などに基づく送信タイミング信号２６が出力され、これによりクリア信号３４が出力されるので、半二重通信の場合は、受信タイミング信号２２は出力されず停止するが、全二重通信の場合は、受信タイミング信号２２は継続して出力される。次に、待ち受け状態９４になると、受信タイミング信号２２が出力される。次に、受信状態９５になると、受信信号検出部１３から受信信号検出信号２３が出力され、これによりクリア信号３４が出力されるので、半二重通信の場合も、全二重通信の場合も、受信タイミング信号２２は出力されず停止する。
【００３２】
図４に示すように、比較器１１７から出力された間欠タイミング信号２１は、受信タイミング生成部１２０へ出力される。受信タイミング生成部１２０では、この間欠タイミング信号２１を、受信信号検出部１３に対して、受信タイミング信号２２として出力する。このとき、図９に示すように、半二重通信の無線機の場合は、例えば、プレストーク通信における送信プレス信号などに基づく送信タイミング信号２６、又は受信信号検出部１３から出力される受信信号検出信号２３が、受信タイミング生成部１２０に入力された場合は、受信タイミング信号２２を停止する。また、全二重通信の無線機の場合は、送信プレス信号などの送信タイミング信号２６には関係なく、受信信号検出部１３から出力される受信信号検出信号２３が入力された場合に、受信タイミング信号２２を停止する。
受信信号検出部１３では、通常停止しているキャリア検出処理や受信レベル検出処理などの受信信号検出処理を、間欠受信タイミング生成部１１からの受信タイミング信号２２のタイミングで開始する。このとき受信信号２４が検出された場合は、検出されている間中、復調部１４へ受信信号検出信号２３を出力する。また、受信信号２４が検出されない場合は、再び受信信号検出処理を停止する。復調部１４では、通常停止している受信信号の復調処理を、受信信号検出部１３からの受信信号検出信号２３が入力されている間行い、復調信号２５を出力する。
【００３３】
なお、本発明は、本発明に係る処理を実行する装置、方法、システムとして、或いは、このような方法やシステムを実現するためのプログラムや当該プログラムを記録する記録媒体などとして提供することも可能である。また、上記実施例では、間欠受信タイミング生成部１１をハードウエアにより構成したが、間欠受信タイミング生成部１１をＣＰＵ（Central  Processing  Unit）及びメモリにより構成してもよい。この場合は、間欠受信タイミング生成部１１の機能を有するプログラムを該メモリに格納し、ＣＰＵが該プログラムを実行する。
また、本発明の無線機を使用する無線システムにてデータ通信を行う場合、データの先頭に最大間欠受信間隔時間分のダミーデータを付加すると、データの受信漏れが抑制でき、データ通信が容易となる。
【００３４】
以上の、本明細書の記載に基づき、次の発明を把握することができる。すなわち、第１の発明は、
外部から送信された音声信号又はデータ信号を受信する受信部と、
外部へ音声信号又はデータ信号を送信する送信部と、
受信可能な受信タイミングを間欠的に生成する間欠受信タイミング生成部と、
受信部からのベースバンド信号、又は送信部へのベースバンド信号の処理を行う制御部とを備えた無線機において、
前記間欠受信タイミング生成部は、
受信可能な受信タイミングの間隔を変更する受信間隔変更部と、
前記受信間隔変更部で変更された間隔に基づいて受信タイミングを生成する受信タイミング生成部と、
受信終了後、又は送信終了後の経過時間を計測するタイマー部とを備え、
前記受信間隔変更部は、タイマー部で計測する前記経過時間が第１の時間以内の状態において、受信タイミングが来る度に受信タイミング間隔を第２の時間分長くし、前記経過時間が第１の時間より大きい状態において、受信タイミングが来る度に受信タイミング間隔を第３の時間分長くすることを特徴とする無線機。
このように無線機を構成すると、受信終了後、又は送信終了後の状態に応じて受信タイミング間隔を設定することができ、受信への支障を抑制しつつ、無線機の消費電力を低減することができる。
【００３５】
第２の発明は、前記第１の発明における無線機であって、
前記受信間隔変更部は、受信タイミング間隔が第４の時間に達すると、受信タイミング間隔を該第４の時間に維持することを特徴とする無線機。
このように無線機を構成すると、受信タイミング間隔が長くなりすぎることを防止できるので、受信に支障をきたすことなく、無線機の消費電力を低減することができる。
【００３６】
第３の発明は、前記第１の発明又は第２の発明における無線機であって、
前記第２の時間よりも第３の時間が長いことを特徴とする無線機。
このように無線機を構成すると、送信直後の待ち受け状態などにおいて、すなわち、相手からの応答が来る可能性が高い状態において、受信タイミング間隔を短くして応答性を高め、所定の時間（前記第１の時間）が経過した状態において、受信タイミング間隔を長くして、無線機の消費電力を低減することができる。
【００３７】
第４の発明は、前記第３の発明における無線機であって、
前記受信部は、通常処理モードへの復帰が早い第１の休止モードと、通常処理モードへの復帰が第１の休止モードより遅い第２の休止モードとを備え、
前記経過時間が前記第１の時間以内の状態において、前記受信部は第１の休止モードとなり、前記経過時間が第１の時間より大きい状態において、前記受信部は第２の休止モードとなることを特徴とする無線機。
このように無線機を構成すると、送信直後の待ち受け状態などにおいて、すなわち、相手からの応答が来る可能性が高い状態において、通常処理モードへの復帰が早い第１の休止モードとし、所定の時間（前記第１の時間）が経過した状態において、通常処理モードへの復帰が遅い第２の休止モードとすることができるので、待ち受け状態において効果的に応答することができる。
【００３８】
第５の発明は、前記第４の発明における無線機であって、
前記第２の休止モードでは、第１の休止モードより消費電力が小さいことを特徴とする無線機。
このように無線機を構成すると、送信直後の待ち受け状態などにおいて、すなわち、相手からの応答が来る可能性が高い状態において、第１の休止モードとし、所定の時間（前記第１の時間）が経過した状態において、消費電力の小さい第２の休止モードとして、無線機の消費電力を低減することができる。
【００３９】
第６の発明は、前記第３の発明における無線機であって、
前記受信部は、通常処理モードの機能を制限する第１の休止モードと、第１の休止モードの機能を制限し、第１の休止モードより消費電力の小さい第２の休止モードとを備え、
前記経過時間が前記第１の時間以内の状態において、前記受信部は第１の休止モードとなり、前記経過時間が第１の時間より大きい状態において、前記受信部は第２の休止モードとなることを特徴とする無線機。
このように無線機を構成すると、送信直後の待ち受け状態などにおいて、すなわち、相手からの応答が来る可能性が高い状態において、通常処理モードの機能を制限する第１の休止モードとし、所定の時間（前記第１の時間）が経過した状態において、第１の休止モードの機能を制限し、第１の休止モードより消費電力の小さい第２の休止モードとして、無線機の消費電力を低減することができる。
【００４０】
第７の発明は、
外部から送信された音声信号又はデータ信号を受信する受信部と、
受信可能な受信タイミングを間欠的に生成する間欠受信タイミング生成部と、
受信部からのベースバンド信号の処理を行う制御部とを備えた無線機において、
前記間欠受信タイミング生成部は、
受信可能な受信タイミングの間隔を変更する受信間隔変更部と、
前記受信間隔変更部で変更された間隔に基づいて受信タイミングを生成する受信タイミング生成部と、
受信終了後、又は送信終了後の経過時間を計測するタイマー部とを備え、
前記受信間隔変更部は、タイマー部で計測する前記経過時間が第１の時間以内の場合は、受信タイミングが来る度に受信タイミング間隔を第２の時間分長くし、前記経過時間が第１の時間より大きい場合は、受信タイミングが来る度に受信タイミング間隔を第３の時間分長くすることを特徴とする無線機。
このように無線機を構成すると、受信終了後の状態に応じて受信タイミング間隔を設定することができ、受信への支障を抑制しつつ、無線機の消費電力を低減することができる。
【００４１】
第８の発明は、
外部から送信された音声信号を受信する受信部と、
外部へ音声信号を送信する送信部と、
受信可能な受信タイミングを間欠的に生成する間欠受信タイミング生成部と、
受信部からのベースバンド信号、又は送信部へのベースバンド信号の処理を行う制御部とを備えた音声通信可能な無線機において、
前記間欠受信タイミング生成部は、
受信可能な受信タイミングの間隔を変更する受信間隔変更部と、
前記受信間隔変更部で変更された間隔に基づいて受信タイミングを生成する受信タイミング生成部と、
音声送信終了後の経過時間を計測するタイマー部とを備え、
前記受信間隔変更部は、タイマー部で計測する前記経過時間が第１の時間以内の場合は、受信タイミング間隔を第５の時間とし、前記経過時間が第１の時間より大きい場合は、受信タイミング間隔を第５の時間より長くすることを特徴とする無線機。
このように無線機を構成すると、音声送信直後の待受け状態の場合、すなわち、相手からの音声応答が来る可能性が高い場合に、受信タイミング間隔を短くして応答性を高め、所定の時間（前記第１の時間）が経過した後は、受信タイミング間隔を長くして、無線機の消費電力を低減することができる。
【符号の説明】
【００４２】
１：無線機、２：空中線、３：空中線スイッチ、４：電力増幅部、５：送信周波数変換部、６：高周波増幅部、７：受信周波数変換部、８：制御部、９：表示操作部、１０：音声入出力部、１１：間欠受信タイミング生成部、１３：受信信号検出部、１４：復調部、１５：変調部、１２１：受信タイミング生成部、１２２：受信間隔変更部、１２３：タイマー部、１２４：リセット部、２０：制御情報入力部、２１：間欠タイミング信号、２２：受信タイミング信号、２３：受信信号検出信号、２４：受信信号、２５：復調信号。
【図１】
2011055325.tif 000003
【図２】
2011055325.tif 000004
【図３】
2011055325.tif 000005
【図４】
2011055325.tif 000006
【図５】
2011055325.tif 000007
【図６】
2011055325.tif 000008
【図７】
2011055325.tif 000009
【図８】
2011055325.tif 000010
【図９】
2011055325.tif 000011